(57)【要約】      （修正有）【課題】作動位置の安定性および優れた支持性を有するフットレストを提供する。【解決手段】基部１、ハンドル２、作動ロッドユニット３、伸縮ロッドユニット４、および、保持フレーム５を有する。基部１は、チェアのシートの下方に設けられ、シート底面に垂直し、互いに平行である二つの係合板１３を有する。二つの係合板１３の間には容置空間を有する。係合板１３には、ガイドスロット１５及び枢軸部が設けられる。ハンドル２は、基部１の所定位置に設けられる。作動ロッドユニット３は、容置空間内の二つの係合板１３に対応する位置にハンドル２と連動するように係合する。伸縮ロッドユニット４は、二つ有し、それぞれ、二つの係合板１３に対応した位置に設けられ、展開収納可能である。保持フレーム５は、二つの伸縮ロッドユニット４の前端に回転可能に連結される。【選択図】図１
0003178456.tif 000002
【実用新案登録請求の範囲】
【請求項１】
チェアのシート下方に設けられ、前記シートの底面に垂直し、互いに平行である二つの係合板を有し、当該二つの係合板の間には容置空間を有し、前記係合板にはガイドスロット及び枢軸部が設けられる基部と、
前記基部の所定位置に設けられたハンドルと、
容置空間内の二つの係合板に対応する位置に前記ハンドルと連動するように係合する二つの作動ロッドユニットと、
二つの係合板に対応した位置に設けられ、展開収納可能であり、着座方向の後端に対応して前記基部の二つの前記係合板の前記枢軸部および前記作動ロッドに回転可能に連結され、前記ガイドスロットに対応した位置にスロットが設けられ、当該スロット、前記ガイドスロットおよび前記作動ロッドユニットを貫通する二つの伸縮ロッドユニットと、
二つの前記伸縮ロッドユニットの前端に回転可能に連結される保持フレームと、を備え、
前記ハンドルを操作することで、前記作動ロッドユニットを稼動し、前記伸縮ロッドユニットに対応して展開する前記保持フレームを前記基部の前方に位置させ、前記伸縮ロッドユニットにより枢動して収納する前記保持フレームを、前記容置空間に位置させ、前記ガイドロッドが対応する前記基部の前記スロットに移動させるフットレスト。
【請求項２】
前記基部は、二つの係合フレームを有し、
二つの前記係合フレームの、上方には上係合部を有し、下方には前記係合板を有し、
前記上係合部は、前記シート下方の両側に設けられ、二つの前記係合板の後方に穿孔が設けられ、
前記係合板の前記ガイドスロットの形状は、展開または収納が作動する際の前記ガイドロッドの移動経路に対応し、
前記係合板に対応する前記穿孔の一端には係合柱が設置され、
前記係合板の前記係合柱と前記穿孔の間には軸線を有し、
前記係合板の枢軸部は、第一枢軸部および第二枢軸部を有し、
前記第一枢軸部および前記第二枢軸部は、それぞれに対応した前記ガイドスロットの上方後および上方前の位置に設けられ、
前記ハンドルは、レバー、接続ロッド、および補助ユニットを有し、
前記レバーは、前記係合フレームの外側に設けられ、
前記接続ロッドは、二つの前記係合フレームの前記穿孔に穿通して前記レバーと連動しており、
前記補助ユニットは、スプリング及び駆動ロッドを有し、
前記スプリングは、一端が前記基部の前記係合柱と係合し、他端が前記駆動ロッドと係合し、
前記駆動ロッドは、一端が前記接続ロッドと係合し、他端が前記スプリングの一端と係合し、
前記駆動ロッドと前記接続ロッドとの係合端は、前記スプリングの両端の間に位置し、
前記駆動ロッドを前記接続ロッドから枢動するとき、前記スプリングにより前記軸線の下方或いは上方に移動させることを特徴とする請求項１に記載のフットレスト。
【請求項３】
前記作動ロッドユニットは、第一作動ロッドおよび第二作動ロッドを有し、
前記第一作動ロッドは、長手方向に第一端および第二端を有し、前記第一作動ロッドの前記第一端は前記接続ロッドと係合して連動し、
前記第二作動ロッドは、長手方向に第一端および第二端を有し、前記第二作動ロッドの前記第二端と前記第一作動ロッドの前記第二端とが回転可能に連結され、
前記第二作動ロッドの前記第二端は、前記ガイドロッドを穿通しており、
前記伸縮ロッドユニットは、後下方ロッド、後上方ロッド、前下方ロッド、および前上方ロッドを有し、
前記後下方ロッドは、長手方向に第一端および第二端を有し、中央には中間枢軸部を有し、
前記後下方ロッドの前記第一端側の位置に長方形の前記スロットを有し、
前記後下方ロッドの前記第一端と前記係合板の前記第一端とは回転可能に連結され、
前記後上方ロッドは、長手方向に第一端および第二端を有し、
前記後上方ロッドの前記第一端と前記係合板の前記第二端とは回転可能に連結され、
前記前下方ロッドは、長手方向に第一端および第二端を有し、
前記前下方ロッドの前記第一端と前記後下方ロッドの第二端とは回転可能に連結され、
前記前上方ロッドは、第一端、第二端、および中間枢軸部を有し、
前記前上方ロッドの前記第一端と前記後下方ロッドの前記中間枢軸部とは回転可能に連結され、
前記前上方ロッドの前記中間枢軸部と前記後上方ロッドの前記第二端とは回転可能に連結され、
前記保持フレームは、二つの保持板を有し、
前記保持板は、前記伸縮ロッドユニットに回転可能に連結され、
前記保持板の両端は、枢軸部を有し、
前記保持板の前記枢軸部は、前記前下方ロッドの前記第二端、および、前記前上方ロッドの前記第二端に、回転可能に連結されることを特徴とする請求項１又は２に記載のフットレスト。
【請求項４】
前記ガイドロッドの長さは、同時に二つの前記係合板を穿通可能な長さであることを特徴とする請求項３に記載のフットレスト。
【請求項５】
前記ガイドスロットは、所定の位置に軸受が設けられることを特徴とする請求項４に記載のフットレスト。
【請求項６】
前記係合板の前記ガイドスロットは、後方に形成される収納定位部、前方に形成される展開定位部を有することを特徴とする請求項３に記載のフットレスト。
【請求項７】
前記展開定位部は、複数であることを特徴とする請求項６に記載のフットレスト。
【請求項８】
前記収納定位部及び前記展開定位部は、下方に湾曲する定位スロットを有することを特徴とする請求項７に記載のフットレスト。
【請求項９】
前記ガイドロッドの長さは、同時に二つの前記係合板を穿通可能な長さであることを特徴とする請求項６に記載のフットレスト。
【請求項１０】
前記ガイドスロットは、所定の位置に軸受が設けられることを特徴とする請求項９に記載のフットレスト。
【考案の詳細な説明】
【技術分野】
【０００１】
本考案は、フットレストに関し、詳しくはチェアの収納式フットレストに関するものである。
【背景技術】
【０００２】
従来、特許文献１〜３に開示されたチェアは、使用者の快適性を向上させるために、脚部のふくらはぎを支持可能なフットレストを有する。フットレストは、使用者がチェアに着座しやすくなるように、必要に応じて、展開したり、収納したりすることができる。
【先行技術文献】
【特許文献】
【０００３】
【特許文献１】米国特許第ＵＳ６５７２１８５号明細書
【特許文献２】米国特許第ＵＳ７１３４７１３号明細書
【特許文献３】米国特許第ＵＳ６４０２２３２号明細書
【考案の概要】
【考案が解決しようとする課題】
【０００４】
しかしながら、従来のフットレストは、よくシート前端の下方に垂直に設けられ、シートと平行になるようにフットレストが展開可能であるが、この場合、フットレストは、シートの地面からの高さの制限によって展開の幅が足りないおそれがある。
また、従来のフットレストは、背もたれと連動する構成を有しており、背もたれを後に仰いだ際、フットレストは同時に展開するが、背もたれを後に仰がないとフットレストが展開できない。
【０００５】
本考案の目的は、作動位置の安定性および優れた支持性を有するチェアの収納式フットレストを提供することにある。
【課題を解決するための手段】
【０００６】
本考案のチェアの収納式フットレストは、基部、ハンドル、作動ロッド、伸縮ロッド、および、保持フレームを有する。
基部は、チェアのシートの下方に設けられ、シート底面に垂直し、互いに平行である二つの係合板を有する。二つの係合板の間には容置空間を有する。係合板には、ガイドスロット及び枢軸部が設けられる。
ハンドルは、基部の所定位置に設けられる。
作動ロッドは、容置空間内の二つの係合板に対応する位置にハンドルと連動するように係合する。
伸縮ロッドは、二つ有し、それぞれ、二つの係合板に対応した位置に設けられ、展開収納可能である。伸縮ロッドは、着座方向の後端に対応して基部の二つの係合板の枢軸部および作動ロッドに回転可能に連結され、ガイドスロットに対応した位置にスロットが設けられ、スロット、ガイドスロットおよび作動ロッドユニットを貫通する。
保持フレームは、二つの伸縮ロッドユニットの前端に回転可能に連結される。
【０００７】
ハンドルを操作することで、作動ロッドを稼動し、伸縮ロッドユニットに対応して展開する保持フレームを基部の前方に位置させ、伸縮ロッドユニットにより枢動して収納する保持フレームを、容置空間に位置させ、ガイドロッドが対応する基部のスロットに移動させる。
本考案は、展開・収納動作を独立させることができ、支持安定性を有し、フットレストの展開の幅はシートの高さに制限されることない。またガイドロッドがガイドスロットで移動することによって作動の安定性を有する。
【０００８】
さらに、本考案は、スプリングを有し、駆動ロッド、基部、およびハンドルを係合する補助ユニットを備える。ハンドルの動作による伸縮ロッドユニットの展開・収納動作を補助ユニットのスプリング張力によって補助し、制御しやすくする効果を有する。
【０００９】
本考案は、ガイドスロットは、後方位置にガイドロッドが係合可能な収納定位部が設けられ、前方にガイドロッドが係合可能な展開定位部が設けられる。該収納定位部および展開定位部は、下に湾曲した定位スロットを有し、収納定位部および展開定位部の安定性を高めることができる。
【図面の簡単な説明】
【００１０】
【図１】本考案の一実施形態のフットレストを示す分解斜視図である。
【図２】本考案の一実施形態のフットレストの展開状態を示す斜視図である。
【図３】本考案の一実施形態のフットレストの応用状態を示す模式図である。
【図４】本考案の一実施形態のフットレストの展開状態を示す側面模式図である。
【図５】本考案の一実施形態のフットレストの展開状態を示す側面模式図である。
【図６】本考案の一実施形態のフットレストの収納状態を示す斜視図である。
【図７】本考案の一実施形態のフットレストの収納状態を示す模式図である。
【考案を実施するための形態】
【００１１】
（一実施形態）
本考案の一実施形態によるフットレストを図面に基づいて説明する。
図１〜４は、本実施形態のフットレストの分解、組立及び展開状態示す図である。フットレストは、基部１、ハンドル２、作動ロッドユニット３、伸縮ロッドユニット４、および保持フレーム５を備える。
【００１２】
基部１は、互いに対向する二つの係合フレーム１１を有する。二つの係合フレーム１１は、Ｌ字状に形成され、上方に上係合部１２、下方に係合部１３を有する。上係合部１２は、二つの止め板１２１によって固定され、係合部材によってシート６の下方の両側に固定される。二つの係合部１３は、シート６の底面に垂直に設けられ、互いに平行する。二つの係合部１３に容置空間１７を有する。二つの係合部１３は、着座方向の後方に対応する穿孔１４を有し、前方は伸縮ロッドユニット４に対応して展開収納する回転作動のトラックに弓状のガイドスロット１５が設けられる。ガイドスロット１５は、後方に収納定位部１５１を有し、前方に二つの展開定位部１５２、１５３を有する。収納定位部１５１および展開定位部１５２、１５３はそれぞれ下方に湾曲した定位スロット１５４、１５５、１５６を有する。二つの係合板１３は、枢軸基部１６を有し、枢軸基部１６は対応するガイドロッド１５上方の後および前の位置にそれぞれ第一枢軸部１６１および第二枢軸部１６２が設置される。また係合板１３に対応する穿孔１４の一側面位置に係合柱１８が設置され、係合柱１８は穿孔１４の間に軸線Ｘを有する（図３、４、５、７を参照）。
【００１３】
ハンドル２は、レバー２１と接続ロッド２２とを有する。レバー２１は係合フレーム１１の外側に設けられる。接続ロッド２２はそれぞれ二つの係合フレーム１１の穿孔１４に穿通され、一端はレバー２１に連動可能に係合される。接続ロッド２２は非円形のロッド体である。レバー２１の一端はレバー２１と接続ロッド２２とを係合し、レバー２１は接続ロッド２２と連動し二つの係合フレーム１１に支持され回転する。
【００１４】
また、制御ロッド２に補助ユニット２３を連結する。補助ユニット２３はスプリング２３１、駆動ロッド２３２を有する。スプリング２３１は、一方の端部２３１１が基部１の係合柱１８と係合し、他方の端部２３１２が駆動ロッド２３２と係合する。駆動ロッド２３２の一端は四角形の軸孔２３３が設置され、該軸孔２３３は接続ロッド２２に貫通され接続ロッド２２と連動する。駆動ロッド２３２の他端はスプリング２３１の他方の端部２３１２と係合する係合柱２３４を有する。スプリング２３１は、適合な張を有し、二つの端部２３１１、２３１２がそれぞれ基部１の係合柱１８及び駆動ロッド２３２の係合柱２３４に接続される。駆動ロッド２３２の軸孔２３３は、スプリング２３１の二端部２３１１、２３１２の間に位置する。駆動ロッド２３２が接続ロッド２２の回転により回転する際、スプリング２３１は対応する軸線Ｘの下方或いは上方位置に偏移することができる。
【００１５】
二つの作動ロッドユニット３は、互いに対向するよう容置空間１７に設けられ、二つの係合フレーム１１に対応する位置に設けられる。作動ロッドユニット３、第一作動ロッド３１、第二作動ロッド３２を有する。第一作動ロッド３１は、長手方向に第一端３１１、第二端３１２を有する。第一端３１１は、非円形孔を有し、接続ロッド２２と係合することで、接続ロッド２２の回転により第一作動ロッド３１を移動させる。また該第二作動ロッド３２は、長手方向に第一端３２１および第二端３２２を有する。第一端３２１は第一作動ロッド３１の第二端３１２に回転可能に連結される。
【００１６】
二つの伸縮ロッドユニット４は、互いに対向するよう容置空間１７において、二つの係合フレーム１１の内側に設けられている。伸縮ロッドユニット４は、後下方ロッド４１、後上方ロッド４２、前下方ロッド４３、および、前上方ロッド４４を有し、連動して展開収納可能である。
【００１７】
後下方ロッド４１は、長手方向に第一端４１１および第二端４１２を有し、中央には中間枢軸部４１３を有し、第一端４１１側に位置する長方形のスロット４１４を有する。第一端４１１は、係合板１３の第一枢軸部１６１に回転可能に連結される。スロット４１４は、係合板１３のスロット１５の位置に対応しており、ガイドロッド４１５が設置される。ガイドロッド４１５は、スロット４１４、ガイドスロット１５、および、作動ロッドユニット３の第二作動ロッド３２の第二端３２２を貫通する。ガイドロッド４１５は、ガイドスロット１５に沿って移動する。ガイドロッド４１５のガイドスロット１５に対応する位置に軸受４１６を設置し、ガイドロッド４１５の作動を促進する。また、ガイドロッド４１５は二つの係合板１３のガイドスロット１５に貫通する。二つの係合板１３に位置する二つの後下方ロッド４１及び二つの第二作動ロッド３２は、同時動作を維持し、作動安定性を向上する。
後上方ロッド４２は、長手方向に第一端４２１、第二端４２２を有する。第一端４２１は、係合板１３の第二枢軸部１６２に回転可能に連結される。
【００１８】
前下方ロッド４３は、長手方向に第一端４３１および第二端４３２を有する。第一端４３１は、後下方ロッド４１の第二端４１２に回転可能に連結される。
前上方ロッド４４は、第一端４４１、第二端４４２、および、中間枢軸部４４３を有する。第一端４４１は後下方ロッド４１の中間枢軸部４１３に回転可能に連結され、中間枢軸部４４３は後上方ロッド４２の第二端４２２に回転可能に連結される。
【００１９】
保持フレーム５は、対応する二つの保持板５１を有し、二つの保持板５１はそれぞれ伸縮ロッドユニット４に回転可能に連結される。二保持板５１の両端には枢軸部５１１、５１２を有し、枢軸部５１１、５１２はそれぞれ伸縮ロッドユニット４の前下方ロッド４３の第二端４３２および前上方ロッド４４の第二端４４２に回転可能に連結される。二つの保持フレーム５にシート本体が組立てて設けることができる（図示されていない）。
【００２０】
図２〜４を参照すると、本実施形態では、レバー２１を制御してハンドル２、伸縮ロッドユニット４、保持フレーム５を展開し、ガイドロッド４１５はガイドスロット１５で移動することができる。展開するとき、ガイドロッド４１５は展開定位部１５２に位置し、定位スロット１５５に嵌合して展開位置を決める。この時、スプリング２３１は、対応する軸線Ｘの下方に位置し、定位スロット１５５は、下に凹んでいるため使用者の脚部の重さを保持することで、ガイドロッド４１５はさらに展開定位部１５２と安定して係合し位置決め安定性を有する。本実施形態は、二つの係合フレーム１１によって平均的に支持され二つの伸縮ロッドユニット４及び保持フレーム５の上方で重さを保持しているため、好ましい支持安定性を有することができる。
【００２１】
図５を参照すると、本実施形態では、レバー２１を制御することで保持フレーム５の位置を調整することができ、ガイドロッド４１５にもう一方の展開定位部１５３の定位スロット１５６を嵌合および定位し、展開の幅を短縮し、本考案は使用者の脚部の長さに合わせて調整することで、展開位置は好ましい適用性を有する。
【００２２】
図６、７を参照すると、本実施形態の収納時において、レバー２１を制御し、接続ロッド２２は、作動ロッドユニット３の第一作動ロッド３１および第二作動ロッド３２に対応する位置に移動される。伸縮ロッドユニット４は、連動され、後方に回転し収納動作をする。保持フレーム５は、容置空間１７の下方に収納することができ、収納時の体積を低減する。ガイドロッド４１５は、ガイドスロット１５の収納定位部１５１の定位スロット１５４に位置することができる。スロット４１４は、ガイドスロット４１５をスムーズに移動することができ、ガイドスロット１５の形状は、展開および収納作動時のガイドロッド４１５のトラックに対応したものである。ガイドロッド４１５は、ガイドスロット１５にトラックを設定することで、作動安定性を高めることができる。
またレバー２１の動作に連動して補助ユニット２３のスプリング２３１は、軸線Ｘに偏移する際に張力が掛かることができる。スプリング２３１は軸線Ｘの上方に偏移し、回復力によって収納を補助する。本実施形態は、制御がより早く便利性がより高い効果を有する。本実施形態は、収納状態から展開状態に変わるとき、補助ユニット２３によって動作が補助される。
【００２３】
本実施形態は、レバー２１の制御によって容易にフットレストの展開および収納を制御することができ、且つ背もたれに合わせることなく、独立でフットレストを展開および収納することができ、好ましい支持安定性を有し、展開の幅がチェアの高さに制限されることを抑制することができる。
以上、本考案は、上記実施形態に限定されるものではなく、その要旨を逸脱しない範囲で種々の実施形態に適用可能である。
【符号の説明】
【００２４】
１                      基部、
１１                    係合フレーム、
１２                    上係合部、
１２１                  止め板、
１３                    係合板、
１４                    穿孔、
１５                    ガイドスロット、
１５１                  収納定位部、
１５２、１５３          展開定位部、
１５４、１５５、１５６  定位スロット、
１６                    枢軸基部、
１６１                  第一枢軸部、
１６２                  第二枢軸部、
１７                    容置空間、
１８                    係合柱、
２                      ハンドル、
２１                    レバー、
２２                    接続ロッド、
２３                    補助ユニット、
２３１                  スプリング、
２３１１、２３１２      端部、
２３２                  駆動ロッド、
２３３                  軸孔、
２３４                  係合柱、
３                      作動ロッドユニット、
３１                    第一作動ロッド、
３２                    第二作動ロッド、
３１１、３２１          第一端、
３１２、３２２          第二端、
４                      伸縮ロッドユニット、
４１                    後下方ロッド、
４１１                  第一端、
４１２                  第二端、
４１３                  中間枢軸部、
４１４                  スロット、
４１５                  ガイドロッド、
４１６                  軸受、
４２                    後上方ロッド、
４２１                  第一端、
４２２                  第二端、
４３                    前下方ロッド、
４３１                  第一端、
４３２                  第二端、
４４                    前上方ロッド、
４４１                  第一端、
４４２                  第二端、
４４３                  中間枢軸部、
５                      保持フレーム、
５１                    保持板、
５１１、５１２          枢軸部、
６                      シート。
【図１】
0003178456.tif 000003
【図２】
0003178456.tif 000004
【図３】
0003178456.tif 000005
【図４】
0003178456.tif 000006
【図５】
0003178456.tif 000007
【図６】
0003178456.tif 000008
【図７】
0003178456.tif 000009